(57)【要約】【課題】定期的なメンテナンスが不要で、消耗品の交換というような面倒で経費のかかる作業を要することなく駆動ロープを自動的に清掃することができるエレベータのロープ清掃装置を提供する。【解決手段】巻上機３のシーブ１０に巻き掛けられた駆動ロープ１１と、前記駆動ロープ１１を介して昇降路１内に吊り下げられ、前記巻上機３による駆動で昇降する乗りかご１４および釣合い重り１５と、前記巻上機３の動力で駆動されて作動するコンプレッサ２０とを具備し、巻上機３による駆動で駆動ロープ１１が走行する際に、それと同期してコンプレッサ２０を作動させ、そのコンプレッサ２０の作動で前記駆動ロープ１１に圧縮空気を吹き付けて駆動ロープ１１に付着している粉塵、埃、雨水等の異物を除去する。【選択図】    図１
2005219830.tif 000002
【特許請求の範囲】
【請求項１】
巻上機のシーブに巻き掛けられた駆動ロープと、
前記駆動ロープを介して昇降路内に吊り下げられ、前記巻上機による駆動で昇降する乗りかごおよび釣合い重りと、
前記巻上機の動力で駆動され、その駆動により前記駆動ロープに圧縮空気を吹き付けるコンプレッサと、
を具備することを特徴とするエレベータのロープ清掃装置。
【請求項２】
前記コンプレッサは、巻上機が動作して駆動ロープが走行するときに作動してその駆動ロープに圧縮空気を吹き付けることを特徴とする請求項１に記載のエレベータのロープ清掃装置。
【発明の詳細な説明】
【技術分野】
【０００１】
この発明は、エレベータの乗りかごを駆動する駆動ロープを清掃するエレベータのロープ清掃装置に関する。
【背景技術】
【０００２】
一般に、建屋に設置されるエレベータは、建屋の昇降路の上方部に設置された巻上機を備え、この巻上機のシーブに駆動ロープ（メインロープ）の途中が巻き掛けられ、この駆動ロープの一端側に乗りかごが吊り下げられ、他端側に釣合い重りが吊り下げられている。そして、巻上機の駆動により駆動ロープが走行し、乗りかごおよび釣合い重りが昇降路内で昇降する。
【０００３】
駆動ロープには、粉塵、埃、雨水等の異物が付着する。このため、従来から駆動ロープに付着した異物を清掃する清掃装置がエレベータに付設されている。従来の清掃装置は、駆動ロープにブラシを接触させ、そのブラシで駆動ロープに付着している異物を払いのけて清掃するようになっている。
【０００４】
また、洗浄液を収容したスプレー缶を駆動ロープに隣接して設け、このスプレー缶から洗浄液を駆動ロープに吹き付けて異物を除去する技術もある。
【発明の開示】
【発明が解決しようとする課題】
【０００５】
しかしながら、上述のような従来の方式では、時間の経過に応じるブラシの損耗やスプレー缶内の洗浄液の消費に対応する定期的なメンテナンスが必要で、そのメンテナンスの作業やブラシ、スプレー缶の消耗品の交換にかかる経費が嵩んでしまうという問題がある。
【０００６】
この発明はこのような点に着目してなされたもので、その目的とするところは、特に定期的なメンテナンスが不要で、消耗品の交換というような面倒で経費のかかる作業を要することなく駆動ロープを自動的に清掃することができるエレベータのロープ清掃装置を提供することにある。
【課題を解決するための手段】
【０００７】
請求項１の発明は、巻上機のシーブに巻き掛けられた駆動ロープと、前記駆動ロープを介して昇降路内に吊り下げられ、前記巻上機による駆動で昇降する乗りかごおよび釣合い重りと、前記巻上機の動力で駆動され、その駆動により前記駆動ロープに圧縮空気を吹き付けるコンプレッサとを具備することを特徴としている。
【０００８】
請求項２の発明は、巻上機が動作して駆動ロープが走行するときに前記コンプレッサが作動してその駆動ロープに圧縮空気を吹き付けることを特徴としている。
【発明の効果】
【０００９】
この発明によれば、特に定期的なメンテナンスが不要で、消耗品の交換というような面倒で経費のかかる作業を要することなく駆動ロープを的確に清掃することができる。
【発明を実施するための最良の形態】
【００１０】
以下、この発明の一実施形態について図面を参照して説明する。
【００１１】
図１にはエレベータの全体の構成を示してあり、建屋の昇降路１の上方部には機械室２が設けられ、この機械室２にエレベータの駆動装置としての巻上機３が設置されている。
【００１２】
巻上機３は、ケーシング４内に収容されたモータ５を備え、このモータ５の回転軸６がケーシング４の一端面から外部に突出し、その突出端部がブラケット７を介して回転自在に支持されている。
【００１３】
モータ５の回転軸６にはシーブ１０が取り付けられ、このシーブ１０に駆動ロープ１１が巻き掛けられている。駆動ロープ１１の両端側は昇降路１内に導出され、その一端側の端部に乗りかご１４が、他端側の端部に釣合い重り１５がそれぞれ連結されて互にほぼ平衡するように昇降路１に吊り下げられている。
【００１４】
そして巻上機３のモータ５が起動してシーブ１０が回転することにより、乗りかご１４および釣合い重り１５が互に逆方向に移動して昇降するようになっている。なお、１６は、乗りかご１４と釣合い重り１５とをそらせてその昇降時の干渉を避けるためのそらせシーブである。
【００１５】
巻上機３の回転軸６を支持したブラケット７には小型のコンプレッサ２０が取り付けられている。このコンプレッサ２０は前記回転軸６に連結され、その回転軸６の回転動力で空気を圧縮し、その圧縮空気を一対の送気管２１ａ，２１ｂから噴出するようになっている。
【００１６】
各送気管２１ａ，２１ｂの先端部にはそれぞれノズル２２ａ，２２ｂが取り付けられ、その一方のノズル２２ａは駆動ロープ１１におけるシーブ１０の一方側に導出された部分の側面に近接して対向するように、また一方のノズル２２ｂは駆動ロープ１１におけるシーブ１０の他方側に導出された部分の側面に近接して対向するように配置されている。
【００１７】
このような構成においては、巻上機３が起動してエレベータが運転されるときに、巻上機３の回転軸６の動力でコンプレッサ２０が駆動されて各ノズル２２ａ，２２ｂから圧縮空気が駆動ロープ１１に向けて吹き付けられ、その空気圧で駆動ロープ１１に付着している粉塵、埃、雨水等の異物が吹き飛ばされ、清掃される。
【００１８】
圧縮空気は駆動ロープ１１が走行しているときにその駆動ロープ１１に吹き付けることが必要となるが、巻上機３が起動して駆動ロープ１１が走行するときに、これと同期してコンプレッサ２０が自動的に駆動され、したがって駆動ロープ１１の走行のタイミングを検出するセンサ等の機構を要することなく、駆動ロープ１１が走行するタイミングに合わせて各ノズル２２ａ，２２ｂから駆動ロープ１１に圧縮空気を吹き付けてその駆動ロープ１１の所要区間を的確に清掃することができる。
【００１９】
ブラシや洗浄液スプレー缶を用いる従来の清掃装置では、そのブラシの損耗やスプレー缶内の洗浄液の消費に対応する定期的なメンテナンスが必要であるが、本実施形態の清掃装置では巻上機３で駆動されるコンプレッサ２０で駆動ロープ１１に圧縮空気を吹き付けて清掃するものであるから消耗品が生じることがなく、したがって面倒で煩わしい定期的なメンテナンスが不要で、経済的に管理することができる。
【図面の簡単な説明】
【００２０】
【図１】この発明の一実施形態を示す正面図。
【符号の説明】
【００２１】
１…昇降路、２…機械室、３…巻上機、５…モータ、６…回転軸、７…ブラケット、１０…シーブ、１１…駆動ロープ、１４…乗りかご、１５…釣合い重り、２０…コンプレッサ、２１ａ，２１ｂ…送気管、２２ａ，２２ｂ…ノズル。
【図１】
2005219830.tif 000003